(57)【要約】【課題】シートの重送を確実に防止すること。【解決手段】ニップ部（Ｎ）に搬送されたシート（Ｓ）をニップした状態で前記シート（Ｓ）に搬送力を付与するように回転する給紙ロール（Ｒｓ１）および前記シート搬送方向と逆方向に回転する分離ロール（Ｒｓ２）を有し、ニップ部（Ｎ）に搬送された複数のシート（Ｓ）の中の給紙ロール（Ｒｓ１）側の１枚のシート（Ｓ）を分離してシート搬送方向下流側に給紙する給紙部材（Ｒｓ）と、給紙ロール（Ｒｓ１）および分離ロール（Ｒｓ２）を回転可能に支持し且つ給紙ロール（Ｒｓ１）の回転軸に垂直な面内で移動可能に支持された移動部材（１）であって、シート先端部をニップした状態でニップ部（Ｎ）をシート搬送方向下流側に移動させる移動部材（１）と、移動部材（１）を移動させる移動部材作動装置（Ｍ２＋Ｄ２＋Ｇ６〜Ｇ７）とを備えたシート分離装置。【選択図】    図２
2004284791.tif 000002
【特許請求の範囲】
【請求項１】
下記の構成要件（Ａ０１）〜（Ａ０３）を備えたシート分離装置、
（Ａ０１）互いに圧接する部分によりニップ部を形成する回転可能な給紙ロールおよび分離ロールであって、前記ニップ部に搬送されたシートを挟持した状態であるニップした状態で前記シートに搬送力を付与するように回転する前記給紙ロールおよび前記シート搬送方向と逆方向に回転する前記分離ロールを有し、給紙トレイから取出ロールにより取り出された複数のシートが前記ニップ部に搬送された際に、前記複数のシートの中の前記給紙ロール側の１枚のシートを分離してシート搬送方向下流側に給紙する給紙部材、
（Ａ０２）前記給紙ロールおよび分離ロールを回転可能に支持し且つ前記給紙ロールの回転軸に垂直な面内で移動可能に支持された移動部材であって、前記ニップ部にシート先端部をニップした状態で前記ニップ部をシート搬送方向下流側に移動させる前記移動部材、
（Ａ０３）前記移動部材を移動させる移動部材作動装置。
【請求項２】
下記の構成要件（Ａ０４）を備えた請求項１記載のシート分離装置、
（Ａ０４）回動軸回りに回動可能に支持された回動部材により構成された前記移動部材。
【請求項３】
下記の構成要件（Ａ０５）を備えた請求項１または２記載のシート分離装置、
（Ａ０５）前記回動部材を回動させる回動用モータと、前記回動用モータを駆動する回動用モータ駆動回路とを有する回動部材作動装置により構成された前記移動部材作動装置。
【請求項４】
下記の構成要件（Ａ０６），（Ａ０７）を備えた請求項１ないし３のいずれか記載のシート分離装置、
（Ａ０６）前記ニップ部にシートがニップされたことを検出するニップ部搬送シート検出手段、
（Ａ０７）前記ニップ部にシートがニップされたときに前記ニップ部がシート搬送方向下流側に移動するように前記移動部材作動装置の動作を制御する移動部材作動制御手段。
【請求項５】
下記の構成要件（Ａ０８）を備えた請求項２記載のシート分離装置、
（Ａ０８）前記回動軸に回転可能に装着された給紙用ギヤおよび分離用ギヤと、前記回動部材により支持され且つ前記給紙用ギヤの回転力を前記給紙ロール軸に伝達する給紙用伝達ギヤおよび前記分離用ギヤの回転力を前記分離ロール軸に伝達する分離用伝達ギヤと、前記給紙ロールがシート搬送方向に回転するように前記給紙用ギヤを回転させる給紙用駆動モータと、前記分離ロールがシート搬送方向の逆方向に回転するように前記分離用ギヤを回転する分離用駆動モータとを有し、前記分離用ギヤの回転方向は前記分離ロールの前記逆方向の回転を妨げるトルクが作用した場合に前記分離用ギヤに噛み合う分離用伝達ギヤの軸およびその軸を支持する前記回動部材に前記ニップ部がシート搬送方向に移動する方向の回動力が生じるように設定されたロール回転駆動部材により構成された前記移動部材作動装置。
【請求項６】
下記の構成要件（Ａ０６），（Ａ０９）を備えた請求項５記載のシート分離装置、
（Ａ０６）前記ニップ部にシートがニップされたことを検出するニップ部搬送シート検出手段、
（Ａ０９）前記ニップ部にシートがニップされたことが検出されたときに前記分離用ギヤを回転させるように前記移動部材作動装置の動作を制御する移動部材作動制御手段。
【発明の詳細な説明】
【０００１】
【産業上の利用分野】
本発明は、互いに圧接する部分によりニップ部を形成する給紙ロールおよび分離ロールを有する給紙部材を有し、給紙トレイから取出ロールにより取り出された複数のシートが前記ニップ部に搬送された際に、前記複数のシートの中の前記給紙ロール側の１枚のシートを分離してシート搬送方向下流側に給紙する給紙部材を備えたシート分離装置に関する。
本発明は電子写真方式またはインクジェット記録式の複写機、プリンター、ＦＡＸ等の画像形成装置のシート搬送装置に使用可能である。
【０００２】
【従来の技術】
前記種類のシート分離装置の給紙部材は、前記ニップ部に複数のシートが搬送された場合には、前記ニップ部に搬送されたシートに搬送方向の力を付与するように回転する前記給紙ロールと、搬送されるシートの前記給紙ロールとは反対側の面に接触して前記シートの搬送を妨げる力を発生する前記分離ロールとにより、給紙ロール側の１枚のシートを分離してシート搬送方向下流側に搬送するように構成されている。前記給紙ロールに圧接される分離ロールは、シート搬送方向と逆方向に回転して前記シートを搬送方向と逆方向に搬送する力を付与することができる。
【０００３】
前記分離ロールをシート搬送方向とは逆回転するように構成したシート分離装置では、一般的に次のように構成されている。
給紙ロールと分離ロールとが圧接する部分であるニップ部にシートが搬送される前は、給紙ロールが回転駆動されており、前記給紙ロールに圧接する分離ロールは前記給紙ロールに連れ回りしている。この連れ回りしている時の分離ロールには前記給紙ロールの回転に抵抗する力が作用しており、その抵抗力は例えば次の構成により与えられる。
（１）分離ロール駆動軸と分離ロールとの間にトルクリミッタを配置する。
（２）分離ロールに弱い逆回転力を与えるように分離用モータに弱い電流を印加する。
【０００４】
前記ニップ部に１枚のシートが搬入された場合には、シートは、給紙ロールとの摩擦力により搬送方向の搬送力を受け、分離ロールとの摩擦力により逆方向の搬送力を受けるが、給紙ロールの回転トルクが大きいので、シート搬送方向に搬送される。このとき、分離ロールは搬送されるシートに連れ回りする。
前記ニップ部に２枚のシートが搬入された場合には、給紙ロールと接触するシート（給紙ロール側シート）は、給紙ロールとの摩擦力により搬送方向の搬送力を受け、分離ロールと接触するシート（分離ロール側シート）は分離ロールとの摩擦力により逆方向の搬送力を受ける。このとき、給紙ロール側シートと分離ロール側シートとの摩擦力（シート間摩擦力）は、給紙ロールまたは分離ロールとシートとの摩擦力（ロール／シート間摩擦力）よりも小さいので、給紙ロール側シートはシート搬送方向に搬送され、分離ロール側シートは逆方向に搬送（逆送）される。
前記ニップ部に３枚のシートが搬入された場合には、最初に分離ロールに接触するシートが逆送された後、次に分離ロールに接触したシートが逆送される。このため、１枚の給紙ロール側シートだけシート搬送方向に搬送される。
【０００５】
ところが、前記給紙部材の給紙ロールと分離部材との圧接力（前記ニップ部の圧接力すなわち、ニップ圧）が小さすぎたり大きすぎる場合、取出ロールの搬送力が大きすぎたり小さすぎたりする場合、または取出ロールの搬送力とニップ圧との関係が不適切な場合等には、給紙部材のシート搬送方向下流側にシートを１枚づつ確実に搬送することができなくなって、シート搬送異常が発生する。
【０００６】
前述のシート搬送異常の発生を防止するために、従来種々の提案が行われており、例えば、下記の特許文献（１），（２）に記載された技術が従来公知である。
（１）特許文献１（特開平５−３２３５６号公報）記載の技術
この公報記載の技術では、ナジャーローラ（取出ロール）により取り出された用紙を、用紙さばき機構を構成するフィードローラ（給紙ロール）とリタードローラ（分離ロール）とのニップ部（圧接領域）に搬送する。前記ニップ部（圧接領域）の下流側に設けたミスフィード検知センサまたは重送検知センサの検知信号により、ミスフィードまたは重送が検知された時に随時自動的にニップ圧（前記ニップ部の圧力）を制御している。
【０００７】
（２）特許文献２（特開平１０−４５２７２号公報）記載の技術
この公報には、給紙方向に回転する搬送ローラと前記搬送ローラに押圧接触し且つ前記給紙方向とは逆方向に回転する分離ローラとを有する分離装置が記載されている。そして、前記搬送ローラと分離ローラとの間の押圧接触力を、シート給紙開始時においてシートが適性に給送されない程度に小さい値とし、この値をシート検知手段がシートが適性に給送されたことを判断する時点まで徐々に増加させ、その後、シートの分離が完了するまで、前記時点における値を維持するように押圧接触力調整手段を制御している。
【０００８】
前記特許文献１，２の技術のようにシート搬送を正常に行う技術において、シート搬送異常が発生したことを検出するために種々のシート重送検知方法が従来から提案されており、例えば下記の特許文献（３）〜（５）に記載された技術が従来公知である。
【０００９】
（３）特許文献３（特開平９−１５０９９０号公報）記載の技術
この公報には、ピックアップローラ２０により搬送された用紙を、さばきローラ２１と対向部材２５との押圧部に搬送し、前記さばきローラ２１の周面に接する１枚の用紙を離して用搬送方向下流側に搬送する技術が記載されている。さばきローラ２０の下流側に配置された用紙搬送速度検知ローラ４１の検知速度に応じて、ピックアップローラ２０の押圧力Ｐおよびさばきローラ２１の分離力を制御して用紙搬送速度を適正な値に制御することにより、用紙の搬送を正常に行う技術が記載されている。
【００１０】
（４）特許文献４（特開平１１−３０１８８５号公報）記載の技術
この公報には、平行平板電極コンデンサの静電容量でシート重送を判定する技術が記載されている。
（５）特許文献５（特開平２０００−０９５３９０号公報）記載の技術
この公報には、超音波発振機と受信機をシート搬送路の上下に配置し、そこから得られた情報によりシート重送を検知する技術が記載されている。
【００１１】
【特許文献１】特開平５−３２３５６号公報（公報段落番号「０００９」、図１）
【特許文献２】特開平１０−４５２７２号公報（公報段落番号「００１５」、図４）
【特許文献３】特開平９−１５０９９０号公報）記載の技術（公報段落番号「００１５」、「００１７」〜「００２０」、図１）
【特許文献４】特開平１１−３０１８８５号公報（公報第１頁要約書）
【特許文献５】特開平２０００−０９５３９０号公報（公報第１頁要約書）
【００１２】
【発明が解決しようとする課題】
前記各特許文献１〜５に記載された従来技術を使用しても、アート紙等の平滑性が高い紙ではシート間の密着力によりうまく分離することができず、シート重送（シート搬送異常）が発生することがあった。前記従来の方法ではシート間の密着力がシートとロール間の摩擦力より大きい場合は、重送されたシートを分離して搬送することが困難であった。
従来、取出ロールと給紙ロールとの間に設置されたシュートを使用してシートに応力を加える方法は知られているが、シュートの曲率半径を小さくしてシート分離性能を向上させようとすると、ジャム（紙詰まり）が発生し易くなるという問題点があった。
【００１３】
本発明は、前述の事情に鑑み、画像形成装置において下記（Ｏ０１），（Ｏ０２）の記載内容を課題とする。
（Ｏ０１）シートの重送を確実に防止すること。
（Ｏ０２）シート間の密着力の高い重送シートを分離できるようにすること。
【００１４】
【課題を解決するための手段】
次に、前記課題を解決するために案出した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【００１５】
（本発明）
前記課題を解決するために、本発明のシート分離装置は、下記の構成要件（Ａ０１）〜（Ａ０３）を備えたことを特徴とする。
（Ａ０１）互いに圧接する部分によりニップ部（Ｎ）を形成する回転可能な給紙ロール（Ｒｓ１）および分離ロール（Ｒｓ２）であって、前記ニップ部（Ｎ）に搬送されたシート（Ｓ）を挟持した状態であるニップした状態で前記シート（Ｓ）に搬送力を付与するように回転する前記給紙ロール（Ｒｓ１）および前記シート搬送方向と逆方向に回転する前記分離ロール（Ｒｓ２）を有し、給紙トレイ（ＴＲ１，ＴＲ２）から取出ロール（Ｒｐ）により取り出された複数のシート（Ｓ）が前記ニップ部（Ｎ）に搬送された際に、前記複数のシート（Ｓ）の中の前記給紙ロール（Ｒｓ１）側の１枚のシート（Ｓ）を分離してシート搬送方向下流側に給紙する給紙部材（Ｒｓ）、
（Ａ０２）前記給紙ロール（Ｒｓ１）および分離ロール（Ｒｓ２）を回転可能に支持し且つ前記給紙ロール（Ｒｓ１）の回転軸に垂直な面内で移動可能に支持された移動部材（１，１１）であって、前記ニップ部（Ｎ）にシート先端部をニップした状態で前記ニップ部（Ｎ）をシート搬送方向下流側に移動させる前記移動部材（１，１１）、
（Ａ０３）前記移動部材（１，１１）を移動させる移動部材作動装置（Ｍ２＋Ｄ２＋Ｇ６〜Ｇ７；１２）。
【００１６】
（本発明の作用）
前記構成要件（Ａ０１）〜（Ａ０３）を備えた本発明のシート分離装置では、
（Ａ０１）互いに圧接する部分によりニップ部（Ｎ）を形成する回転可能な給紙ロール（Ｒｓ１）および分離ロール（Ｒｓ２）であって、前記ニップ部（Ｎ）に搬送されたシート（Ｓ）を挟持した状態であるニップした状態で前記シート（Ｓ）に搬送力を付与するように回転する前記給紙ロール（Ｒｓ１）および前記シート搬送方向と逆方向に回転する前記分離ロール（Ｒｓ２）を有する給紙部材（Ｒｓ）は、給紙トレイ（ＴＲ１，ＴＲ２）から取出ロール（Ｒｐ）により取り出された複数のシート（Ｓ）が前記ニップ部（Ｎ）に搬送された際に、前記複数のシート（Ｓ）の中の前記給紙ロール（Ｒｓ１）側の１枚のシート（Ｓ）を分離してシート搬送方向下流側に給紙する。
前記給紙ロール（Ｒｓ１）および分離ロール（Ｒｓ２）を回転可能に支持し且つ前記給紙ロール（Ｒｓ１）の回転軸に垂直な面内で移動可能に支持された移動部材（１，１１）は、前記ニップ部（Ｎ）にシート先端部をニップした状態で前記ニップ部（Ｎ）をシート搬送方向下流側に移動させる。
前記移動部材（１，１１）の移動は移動部材作動装置（Ｍ２＋Ｄ２＋Ｇ６〜Ｇ７；１２）により行われる。
【００１７】
前記本発明のシート分離装置は、下記の構成要件（Ａ０４）を備えることが可能である。
（Ａ０４）回動軸（１ａ）回りに回動可能に支持された回動部材（１）により構成された前記移動部材（１）。
前記構成要件（Ａ０４）を備えた本発明のシート分離装置では、前記移動部材（１）は回動部材（１）により構成され、回動軸（１ａ）回りに回動する。
【００１８】
前記本発明のシート分離装置は、下記の構成要件（Ａ０５）を備えることが可能である。
（Ａ０５）前記回動部材（１）を回動させる回動用モータ（Ｍ２）と、前記回動用モータ（Ｍ２）を駆動する回動用モータ駆動回路（Ｄ２）とを有する回動部材作動装置（Ｍ２＋Ｄ２＋Ｇ６〜Ｇ７）により構成された前記移動部材作動装置（Ｍ２＋Ｄ２＋Ｇ６〜Ｇ７；１２）。
前記構成要件（Ａ０５）を備えた本発明のシート分離装置では、前記移動部材作動装置（Ｍ２＋Ｄ２＋Ｇ６〜Ｇ７；１２）は回動部材作動装置（Ｍ２＋Ｄ２＋Ｇ６〜Ｇ７）により構成され、回動部材作動装置（Ｍ２＋Ｄ２＋Ｇ６〜Ｇ７）の回動用モータ駆動回路（Ｄ２）により前記回動用モータ（Ｍ２）を駆動し、前記回動用モータ（Ｍ２）により前記回動部材（１）を回動させる。
【００１９】
本発明のシート分離装置は、下記の構成要件（Ａ０６），（Ａ０７）を備えることが可能である。
（Ａ０６）前記ニップ部（Ｎ）にシート（Ｓ）がニップされたことを検出するニップ部搬送シート検出手段（ＳＮ１）、
（Ａ０７）前記ニップ部（Ｎ）にシート（Ｓ）がニップされたときに前記ニップ部（Ｎ）がシート搬送方向下流側に移動するように前記移動部材作動装置（Ｍ２＋Ｄ２＋Ｇ６〜Ｇ７；１２）の動作を制御する移動部材作動制御手段（Ｃ１）。
【００２０】
前記構成要件（Ａ０６），（Ａ０７）を備えた本発明のシート分離装置では、ニップ部搬送シート検出手段（ＳＮ１）は、前記ニップ部（Ｎ）にシート（Ｓ）がニップされたことを検出する。移動部材作動制御手段（Ｃ１）は、前記ニップ部（Ｎ）にシート（Ｓ）がニップされたときに前記ニップ部（Ｎ）がシート搬送方向下流側に移動するように前記移動部材作動装置（Ｍ２＋Ｄ２＋Ｇ６〜Ｇ７；１２）の動作を制御する。
【００２１】
本発明のシート分離装置は、下記の構成要件（Ａ０８）を備えることが可能である。
（Ａ０８）前記回動軸（１ａ）に回転可能に装着された給紙用ギヤ（Ｇ１）および分離用ギヤ（Ｇ６）と、前記回動部材（１）により支持され且つ前記給紙用ギヤ（Ｇ１）の回転力を前記給紙ロール軸（Ｒｓ１ａ）に伝達する給紙用伝達ギヤ（Ｇ５）および前記分離用ギヤ（Ｇ６）の回転力を前記分離ロール軸（Ｒｓ２ａ）に伝達する分離用伝達ギヤ（Ｇ７，Ｇ８）と、前記給紙ロール（Ｒｓ１）がシート搬送方向に回転するように前記給紙用ギヤ（Ｇ１）を回転させる給紙用駆動モータ（Ｍ１）と、前記分離ロール（Ｒｓ２）がシート搬送方向の逆方向に回転するように前記分離用ギヤ（Ｇ６）を回転する分離用駆動モータ（Ｍ２）とを有し、前記分離用ギヤ（Ｇ６）の回転方向は前記分離ロール（Ｒｓ２）の前記逆方向の回転を妨げるトルクが作用した場合に前記分離用ギヤ（Ｇ６）に噛み合う分離用伝達ギヤ（Ｇ７，Ｇ８）の軸およびその軸を支持する前記回動部材（１）に前記ニップ部（Ｎ）がシート搬送方向に移動する方向の回動力が生じるように設定されたロール回転駆動部材（Ｇ６〜Ｇ７）により構成された前記移動部材作動装置（Ｍ２＋Ｄ２＋Ｇ６〜Ｇ７；１２）。
【００２２】
前記構成要件（Ａ０８）を備えた本発明のシート分離装置では、前記移動部材作動装置（Ｍ２＋Ｄ２＋Ｇ６〜Ｇ７；１２）を構成するロール回転駆動部材は、前記回動軸（１ａ）に回動可能に支持された給紙用ギヤ（Ｇ１）および分離用ギヤ（Ｇ６）を有している。
前記給紙用ギヤ（Ｇ１）の回転力は、前記回動部材（１）に支持された給紙用伝達ギヤ（Ｇ５）により前記給紙ロール軸（Ｒｓ１ａ）に伝達され、前記分離用ギヤ（Ｇ６）の回転力は前記回動部材（１）に支持された分離用伝達ギヤ（Ｇ７，Ｇ８）により前記分離ロール軸（Ｒｓ２ａ）に伝達される。
給紙用駆動モータ（Ｍ１）は、前記給紙ロール（Ｒｓ１）がシート搬送方向に回転するように前記給紙用ギヤ（Ｇ１）を回転させる。分離用駆動モータ（Ｍ２）は、前記分離ロール（Ｒｓ２）がシート搬送方向の逆方向に回転するように前記分離用ギヤ（Ｇ６）を回転させる。
【００２３】
前記分離用ギヤ（Ｇ６）の回転方向は、前記分離ロール（Ｒｓ２）の前記逆方向の回転を妨げるトルクが作用した場合に前記分離用ギヤ（Ｇ６）に噛み合う分離用伝達ギヤ（Ｇ７，Ｇ８）の軸およびその軸を支持する前記回動部材（１）に前記ニップ部（Ｎ）がシート搬送方向に移動する方向の回動力が生じるように設定されている。
したがって、前記回動軸（１ａ）に回動可能に支持された分離用ギヤ（Ｇ６）に回転力が伝達されている状態では、分離ロール（Ｒｓ２）はシート搬送方向に対して逆方向の回転をしようとするが、前記分離ロール（Ｒｓ２）に、前記逆方向の回転を妨げるトルクが作用した場合には、前記分離用伝達ギヤ（Ｇ７，Ｇ８）の軸およびその軸を支持する前記回動部材（１）は前記ニップ部（Ｎ）がシート搬送方向に移動する方向に自動的に回動する。
【００２４】
前記ニップ部（Ｎ）がシート搬送方向への回動すると、前記ニップ部（Ｎ）に複数のシート（Ｓ）が密着状態で挟まれている場合、複数のシート（Ｓ）間には紙面に沿ってずらせる力が作用するので、シート（Ｓ）間の摩擦抵抗力が小さくなって、分離ロール（Ｒｓ２）側のシート（Ｓ）が逆送される。このため、シート（Ｓ）の重送を防止することが可能となる。
【００２５】
前記本発明のシート分離装置は、下記の構成要件（Ａ０６），（Ａ０９）を備えることが可能である。
（Ａ０６）前記ニップ部（Ｎ）にシート（Ｓ）がニップされたことを検出するニップ部搬送シート検出手段（ＳＮ１）、
（Ａ０９）前記ニップ部（Ｎ）にシート（Ｓ）がニップされたことが検出されたときに前記分離用ギヤ（Ｇ６）を回転させるように前記移動部材作動装置（Ｍ２＋Ｄ２＋Ｇ６〜Ｇ７；１２）の動作を制御する移動部材作動制御手段（Ｃ１）。
【００２６】
前記構成要件（Ａ０６），（Ａ０９）を備えた本発明のシート分離装置では、ニップ部搬送シート検出手段（ＳＮ１）は、前記ニップ部（Ｎ）にシート（Ｓ）がニップされたことを検出する。移動部材作動制御手段（Ｃ１）は、前記ニップ部（Ｎ）にシート（Ｓ）がニップされたことが検出されたときに前記分離用ギヤ（Ｇ６）を回転させるように前記移動部材作動装置（Ｍ２＋Ｄ２＋Ｇ６〜Ｇ７；１２）の動作を制御する。このように、ニップ部（Ｎ）にシート（Ｓ）がニップされてから分離用ギヤ（Ｇ６）が回転して分離動作が開始される場合、ニップ部（Ｎ）にシート（Ｓ）が搬送される前にニップが移動することを防止することができる。
【００２７】
【実施の形態】
次に図面を参照しながら、本発明の実施の形態を説明するが、本発明は以下の実施の形態に限定されるものではない。
（実施の形態１）
図１は本発明のシート搬送装置の実施の形態１を備えた画像形成装置の縦断面図である。
図１において、画像形成装置Ｕは、上面にプラテンガラス（透明な原稿台）ＰＧを有する画像形成装置本体としてのデジタル式の複写機本体Ｕ１と、前記プラテンガラスＰＧ上に着脱自在に装着される自動原稿搬送装置（オートドキュメントフィーダ、ＡＤＦ）Ｕ２とを備えている。
前記自動原稿搬送装置Ｕ２は、複写しようとする複数の原稿Ｇｉが重ねて載置される原稿給紙トレイＴＧ１を有している。前記原稿給紙トレイＴＧ１に載置された複数の各原稿Ｇｉは順次プラテンガラスＰＧ上の複写位置を通過して原稿排紙トレイＴＧ２に排出されるように構成されている。
【００２８】
前記複写機Ｕ１は、ＵＩ（ユーザインタフェース）と、前記プラテンガラスＰＧの下方に順次配置された画像読取部としてのＩＩＴ（イメージインプットターミナル）および画像記録用作動部としてのＩＯＴ（イメージアウトプットターミナル）と、前記ＩＩＴまたはＩＯＴに設けられたＩＰＳ（イメージプロセッシングシステム）とを有している。
複写機本体Ｕ１上面の透明なプラテンガラスＰＧの下方に配置された原稿読取装置としてのＩＩＴは、プラテンレジ位置に配置された露光系レジセンサ（プラテンレジセンサ）Ｓｐ、および露光光学系Ａを有している。
【００２９】
前記露光光学系Ａは、その移動および停止が露光系レジセンサＳｐの検出信号により制御され、常時はホーム位置に停止している。
前記自動原稿搬送装置（オートドキュメントフィーダ）Ｕ２を使用して複写を行うＡＤＦモードの場合は、前記露光光学系Ａはホーム位置に停止した状態で、プラテンガラスＰＧ上の複写位置を順次通過する各原稿Ｇｉを露光する。
原稿Ｇｉを作業者が手でプラテンガラスＰＧ上に置いて複写を行うプラテンモードの場合、露光光学系Ａは移動しながらプラテンガラスＰＧ上の原稿を露光走査する。
露光された前記原稿Ｇｉからの反射光は、前記露光光学系Ａを通ってＣＣＤ（固体撮像素子）上に収束される。前記ＣＣＤは、その撮像面上に収束された原稿反射光を電気信号に変換する。
【００３０】
また、ＩＰＳは、前記ＣＣＤから入力された読取画像信号をデジタルの画像書込信号に変換してＩＯＴのレーザ駆動信号出力装置ＤＬに出力する。
前記レーザ駆動信号出力装置ＤＬは、入力された画像データに応じたレーザ駆動信号をＲＯＳ（潜像書込走査装置）に出力する。前記ＩＰＳ、前記レーザ駆動信号出力装置ＤＬ、電源回路Ｅ等は、コンピュータにより構成されたコントローラＣにより作動を制御される。
【００３１】
前記ＲＯＳの下方に配置された感光体ドラム（トナー像担持体）ＰＲは、矢印Ｙａ方向に回転する。前記感光体ドラムＰＲ表面は、帯電領域Ｑ０において帯電器（チャージロール）ＣＲにより例えば−（マイナス）７００Ｖに帯電された後、潜像書込位置Ｑ１において前記ＲＯＳ（潜像書込装置）のレーザビームＬにより露光走査されて例えば−３００Ｖの静電潜像が形成される。前記感光体ドラムＰＲへのレーザビームＬによる潜像形成は、シートセンサ（図示せず）がシート先端を検知してから所定の時間経時後に開始される。前記静電潜像が形成された感光体ドラムＰＲ表面は回転移動して現像領域Ｑ２、転写領域（画像記録位置）Ｑ４を順次通過する。
【００３２】
前記現像領域Ｑ２において前記静電潜像を現像する現像器Ｄは、−（マイナス）帯電極性のトナーおよびプラス帯電極性のキャリアを含む現像剤を現像ロールＲ０により現像領域Ｑ２に搬送し、前記現像領域Ｑ２を通過する感光体ドラムＰＲ上の静電潜像をトナー像Ｔｎに現像する。
前記転写領域（画像記録位置）Ｑ４において前記感光体ドラムＰＲに対向する転写ロールＴＲは、感光体ドラムＰＲ表面のトナー像をシートＳに転写する部材であり、現像器Ｄで使用される現像用のトナーの帯電極性と逆極性の転写電圧が電源回路Ｅから供給される。前記帯電ロールに印加する帯電バイアス、現像ロールに印加する現像バイアス、転写ロールＴＲに印加する転写バイアス等のバイアス、後述の定着装置Ｆの加熱ロールのヒータを加熱するヒータ電源等を有する電源回路Ｅは前記コントローラＣにより制御される。
【００３３】
画像形成装置本体Ｕ１の下部には第１給紙トレイＴＲ１および第２第２給紙トレイＴＲ２が上下に並んで配置されている。
前記第１給紙トレイＴＲ１および第２給紙トレイＴＲ２の右端部の上端部には取出ロール（ピックアップロール）Ｒｐが配置されており、前記取出ロールＲｐにより取り出されたシートは給紙トレイＴＲ１，ＴＲ２の右側の給紙路ＳＨ１に搬送される。
給紙路ＳＨ１には、給紙部材Ｒｓが配置されており、給紙部材Ｒｓは、互いに圧接する部分によりニップ部Ｎを形成する給紙ロールＲｓ１および分離ロール（分離部材）Ｒｓ２を有している。前記ニップ部Ｎ（図２参照）に搬送されたシートは給紙部材Ｒｓにより１枚づつ分離されて、シート搬送路ＳＨ１の下流側部分に搬送される。シート搬送路ＳＨ１の下流側部分は上下に延びており、正逆回転可能な搬送ロール（正逆転回転搬送ロール）Ｒｂが配置されている。シート搬送路ＳＨ１に搬送された前記シートＳは正逆転回転可能な搬送ロールＲｂにより、上方の上流側シート搬送路ＳＨ２に搬送される。
【００３４】
上流側シート搬送路ＳＨ２に搬送されたシートＳは、搬送ロールＲａによりレジロールＲｒに搬送される。前記レジロールＲｒに搬送されたシートＳは、前記感光体ドラムＰＲ上のトナー像が転写領域（画像記録位置）Ｑ４に移動するのにタイミングを合わせて、転写前シートガイドＳＧ１から転写領域Ｑ４に搬送される。
前記感光体ドラムＰＲ表面に現像されたトナー像Ｔｎは、前記転写領域Ｑ４において、転写ロールＴＲによりシートＳに転写される。転写後、感光体ドラムＰＲ表面は、感光体クリーナＣＬ１によりクリーニングされて残留トナーが除去され、次に感光体除電器ＪＬにより除電されてから前記帯電ロールＣＲにより再帯電される。
前記感光体ドラムＰＲ、帯電ロールＣＲ、ＲＯＳ（潜像書込装置）、現像装置Ｄ、転写ロールＴＲ、感光体クリーナＣＬ１、感光体除電器ＪＬ等により画像記録部材Ｇ（ＰＲ＋ＣＲ＋ＲＯＳ＋Ｄ＋ＴＲ＋ＣＬ１＋ＪＬ）が構成されている。
【００３５】
前記転写領域（画像記録位置）Ｑ４のシート搬送方向下流側には、前記転写領域Ｑ４でトナー像が記録された記録済シートＳを、下流側シート搬送路ＳＨ３が設けられている。転写領域（画像記録位置）Ｑ４において転写ロールＴＲによりトナー像が転写された前記シートＳは、感光体ドラムＰＲ表面から剥離され、前記下流側シート搬送路ＳＨ３のシートガイドＳＧ２、シート搬送ベルトＢＨにより定着領域Ｑ５に搬送される。前記シートＳは、定着領域Ｑ５を通過する際に定着装置Ｆによりトナー像が加熱定着されてから、シート排出路ＳＨ４を通って前記排紙トレイＴＲｈに搬送される。
前記シート排出路ＳＨ４には、前記定着装置Ｆの下流側に切替ゲート（シート搬送方向制御部材）ＧＴが配置されている。切替ゲートＧＴは、前記定着装置Ｆを通過したシートＳの搬送方向を前記排紙トレイＴＲｈ側またはシート反転接続路ＳＨ５のいずれかの方向に切り替える。シート反転用接続路ＳＨ５は、前記シート排出路ＳＨ４の上流端と（定着装置Ｆの下流側部分）と前記シート搬送路ＳＨ１とを接続する。
【００３６】
両面複写の場合、１面目のトナー像が記録された片面記録済シートＳは、前記切替ゲートＧＴによりシート反転接続路ＳＨ５から、前記給紙路ＳＨ１上端の正逆回転搬送ロールＲｂにより給紙路ＳＨ１の下方に搬送されてからスイッチバックして反転した状態で上方の上流側シート搬送路ＳＨ２に再送される。
前記反転して上流側シート搬送路ＳＨ２に再送された片面記録済シートＳは、前記転写領域（画像記録位置）Ｑ４に再送され、２面目にトナー像が転写される。
【００３７】
図２は前記実施の形態１の給紙部材、取出ロールおよびその駆動機構の説明図で、図２Ａは平面図、図２Ｂは前記図２Ａの矢印ＩＩＢ−ＩＩＢから見た図である。
図２において、給紙部材Ｒｓは給紙ロールＲｓ１および分離ロールＲｓ２を有している。前記給紙ロールＲｓ１の軸Ｒｓ１ａおよび分離ロールＲｓ２の軸Ｒｓ２ａの両端部には、それぞれ一対の回動プレート１，１が配置されており、前記両端部に設けた一対の各回転プレート１，１は、それぞれ同一直線上に配置された一対の軸（回動軸）１ａ，１ａ回りに回転可能に支持されている。なお、前記一対の軸１ａ，１ａは固定フレームＦに回転可能に支持されている。前記軸１ａ、１ａとその回りに回動可能に支持された回動プレート１との間にはリターンバネ１ｂ（図２Ａ参照）が設けられており、前記リターンバネ１ｂの弾性力により前記回動プレート１は、常時下方に回動する力を受けており、下方垂れ下がった位置に回動した時には図示しないストッパによりその位置に保持されるように構成されている。
【００３８】
前記一対の軸１ａ，１ａの中の一方の軸１ａは給紙用モータＭ１により回転駆動され、その軸１ａにはギヤ（給紙用ギヤ）Ｇ１が固着されている。また、他方の軸１ａは分離用モータＭ２により回転駆動され、その軸１ａにはギヤ（分離用ギヤ）Ｇ６が固着されている。
前記給紙用モータＭ１は給紙ロールモータ駆動回路Ｄ１により駆動され、前記分離用モータＭ２は分離用モータ駆動回路Ｄ２により駆動される。前記給紙ロールモータ駆動回路Ｄ１および分離用モータ駆動回路Ｄ２は、コントローラＣにより制御される。
【００３９】
図３は前記実施の形態１の給紙部材の説明図で、図３Ａは前記実施の形態１の給紙部材を支持する回動プレート（回動部材）が通常位置に保持されている状態を示す図で、図３Ｂは前記図３Ａに給紙部材の回動プレートが回転した状態を示す図である。
図２Ａ、図３において、前記回動プレート１，１にはレバー２，２が軸２ａ回りに回転可能に支持されている。レバー２の先端部には分離ロールＲｓ２の軸Ｒｓ２ａが回転可能に支持されている。前記レバー２と回動プレート１とは引張バネ３により連結されており、前記引張バネ３は図２Ａで反時計方向の回転力をレバー２に常時作用させている。このため、分離ロールＲｓ１は常時給紙ロールＲｓ１に圧接されている。
前記給紙ロールＲｓ１および分離ロールＲｓ２の圧接する部分によりニップ部Ｎが形成される。また、ニップ部Ｎのシート搬送方向上流側にはシートセンサ（ニップ部搬送シート検出手段）ＳＮ１が配置されており、シートセンサＳＮ１はセンサ支持部材（図示せず）を介して前記回動プレート１に支持されている。シートセンサＳＮ１は前記ニップ部Ｎにシートが搬送されたことを検出する。
【００４０】
図４は前記実施の形態１の給紙部材の説明図で、図４Ａは前記図３Ａの給紙部材に駆動機構を付加した図で、図４Ｂは前記図４Ａの給紙部材を支持する回転プレート（回動部材）が回動した状態を示す図である。
図４において、前記ギヤＧ１が固着された軸１ａ（図４、図２Ａ参照）には回動レバー６が回動可能に支持されており、回動レバー６は引張バネ７により常時下方に引っ張られている。回動レバー６の先端部下側には回転位置の調節が可能な偏心カム８が配置されており、偏心カム８が図４Ａの位置に回転した状態では下降位置に保持され、図４Ｂの位置に回動した状態では上昇位置に移動してシートＳの取出が可能になる。
【００４１】
前記回動レバー６には前記ギヤＧ１に順次噛み合うギヤＧ２，Ｇ３，Ｇ４が回転可能に支持されている。ギヤＧ４の軸Ｇ４ａには取出ロールＲｐが固着されている。したがって、ギヤＧ１が給紙用モータＭ１（図２Ａ参照）により回転駆動されると、取出ロールＲｐが回転するように構成されている。前記給紙ロールＲｓ１の軸Ｒｓ１ａにはギヤＧ５が固着されており、ギヤＧ５は前記ギヤＧ１と噛み合っている。したがって、ギヤＧ１が回転すると、前記取出ロールＲｐおよび給紙ロールＲｓ１が回転するように構成されている。
前記ギヤＧ１〜ギヤＧ５により給紙用ギヤ（Ｇ１〜Ｇ５）が構成されている。
【００４２】
図５は前記実施の形態１の給紙部材の説明図で、図５Ａは前記実施の形態１の給紙部材を支持する回動プレート（回動部材）が通常位置に保持された状態に分離ロールの駆動機構を付加した状態を示す図、図５Ｂは前記図５Ａの回動プレート（回動部材）が回動した状態を示す図である。
図５において、前記軸１ａにはギヤＧ６が回転可能に支持されており、前記軸２ａにはギヤＧ７が回転可能に支持されている。前記軸Ｒｓ２ａにはギヤＧ８が固着されている。したがって、ギヤＧ６が分離用モータＭ２（図２Ａ参照）により回転駆動されると、分離ロールＲｓ２が回転するように構成されている。前記ギヤ（分離用ギヤ）の回転力を分離ロールＲｓ２の軸Ｒｓ２ａに伝達するギヤＧ７，Ｇ８により分離用伝達ギヤ（Ｇ７，Ｇ８）が構成されている。
なお、分離ロールＲｓ２の軸Ｒｓ２ａへの分離用モータＭ２の回転力の伝達はトルクリミッタＴｒ（図２Ａ参照）を介して伝達されている。
【００４３】
前記給紙ロールＲｓ１はニップＮにシートが搬送されたときにシートをシート搬送方向に搬送するように回転駆動される。分離ロールＲｓ２はニップＮにシートが搬送されたときにシートをシート搬送方向とは逆方向に回転するように回転駆動（逆回転駆動）される。
ところで、図５において各ギヤＧ６〜Ｇ８が矢印方向に回転する場合、仮に、分離ロールＲｓ２の回転が自由であればギヤＧ７およびギヤＧ８は自由に回転できる。この場合、ギヤＧ６に回転駆動力が伝達されたとき、ギヤＧ７，Ｇ８は自由に回転するだけで、回動プレート１には軸１ａ回りに回動する力は作用しない。
しかしながら、図５において各ギヤＧ６〜Ｇ８が矢印方向に回転する場合、仮に、分離ロールＲｓ２が回転不可能または回転時に大きな摩擦抵抗力が作用すると、ギヤＧ７およびギヤＧ８は自由に回転できない。この場合、ギヤＧ６に回転駆動力が伝達されたとき、ギヤＧ７，Ｇ８を支持する回動プレート１を図５において時計方向に回転させる力が発生する。この場合図５Ｂに示すように、回動プレート１は時計方向に回転し、ニップ部Ｎの位置も回動する。
【００４４】
（実施の形態１の作用）
図６は本発明のシート分離装置の実施の形態１の作用説明図で、図６Ａは給紙トレイから１枚のシートが取り出されてニップ部（Ｎ）に搬送されてくる状態を示す図、図６Ｂは前記シートがニップ部（Ｎ）に搬送された状態を示す図である。
図６Ａにおいて、給紙ロールＲｓ１と取出ロールＲｐとが回転しているが、分離ロールＲｓ２はシートＳ前端がシートセンサＳＮ１に検出されるまでは駆動されず回転していない。
図６Ｂにおいて、シートＳはニップ部Ｎに搬送されており給紙ロールＲｓ１の搬力により搬送されているが、シート先端はシートセンサＳＮ１に到達していないので、シートＳに接触する分離ロールＲｓ２の駆動モータＭ２はまだ駆動されない。このとき分離ロールＲｓ２は、搬送されるシートに連れ回りしている。このとき、分離ロールＲｓ２にはトルクリミッタＴｒ（図２Ａ参照）により、回転にブレーキが作用しているので、前記搬送されるシートには摩擦抵抗力が作用している。
【００４５】
図７は本発明のシート分離装置の実施の形態１の作用説明図で、図７Ａは給紙トレイから取り出されてニップ部（Ｎ）に搬送されたシートの先端がシートセンサに検出される位置まで進んだ状態を示す図、図７Ｂは前記シートがニップ部（Ｎ）に搬送された状態で回動プレート１が軸１ａ回りに回動している状態を示す図である。
図７Ａにおいて、シートＳはシートセンサＳＮ１に検出される位置に進んでいる。このとき分離ロールＲｓ２を駆動するギヤＧ６に前記分離用モータＭ２（図２Ａ参照）から回転力が伝達される。このとき、分離ロールＲｓ２にはシート搬送方向とは逆回転力が伝達されるが、ニップ部Ｎに搬送されたシートが１枚であるので、複数のシートが重送された場合に比較して、分離ロールＲｓ２を連れ回りさせる力が大きい。このため、前記分離ロールＲｓ２の軸Ｒｓ２ａに固着されたギヤＧ７が自由に回転できないので、前記図５で説明したように、ギヤＧ６の回転により回動プレート１が時計方向に回動する（図７Ｂ参照）。このとき図７Ｂに示すように、ニップ部Ｎに挟持されたシート先端は、下流側の搬送ロールＲａに向かって搬送される。
【００４６】
前記回動プレート１を回動させる分離用モータＭ２、それを駆動する分離用モータ駆動回路Ｄ２および前記ギヤＧ６〜Ｇ８は前記回動プレート（回動部材）を回動させる回動部材作動装置（移動部材作動装置）（Ｍ２＋Ｄ２＋Ｇ６〜Ｇ７）を構成している。また、分離用モータＭ２は前記回動プレート１を回動させる回動用モータＭ２を構成している。また、前記回動用モータＭ２を駆動する駆動回路Ｄ２の作動を制御するコントローラＣは、回動部材作動制御手段（移動部材制御手段）Ｃ１（図２Ａ参照）を有している。
前記回動プレート１の回動時には前記偏心カム８が回転して取出ロールＲｐが上昇する。このとき、図示しない押さえロールが上から２枚目のシートの後端部（給紙トレイに収容されている後端部分）を押圧して、前記上から２枚目のシートが搬送されないように構成されている。
【００４７】
図８は本発明のシート分離装置の実施の形態１の作用説明図で、図８Ａは給紙トレイから取り出されてニップ部に重送されたシートの先端がシートセンサに検出される位置まで進んだ状態を示す図、図８Ｂは前記ニップ部に重送されたシートの中の分離ロール側のシートが分離ロールの逆回転により逆送された状態を示す図である。
図８Ａにおいて、ニップ部Ｎにシート（重送されたシートを含む）ＳがシートセンサＳＮ１により検出されると、分離用モータ（図示せず）が回転を開始し、ギヤＧ６〜Ｇ８が回転する。通常はシート間の摩擦抵抗力は、シートとロール間の摩擦抵抗力に比較して小さいので、トルクリミッタのリミット値以下である。このため、分離ロールＲｓ２が逆回転して、重送したシートの中の分離ロールＲｓ２に接触するシートを逆送させる。そして、図８Ｂの状態となる。この図８Ｂの状態は前記図７Ａの場合と同様にニップ部Ｎに挟持されたシートが１枚の状態である。この場合は前記図７Ｂで説明した理由により、回動プレート１は回動することになる。
【００４８】
図９は本発明のシート分離装置の実施の形態１の作用説明図で、図９Ａは前記図８Ｂの状態から回動プレート１が回動している途中の状態を示す図、図９Ｂは回動プレートが前記図９Ａの状態から更に回転して、ニップに挟持したシートを下流側の搬送ロールＲａに搬送した後、元の位置に復帰した状態を示す図である。
図９Ｂの状態では、前記図９Ａで分離された下側のシート（分離ロールＲｓ２側のシート）がニップＮに当接した状態となっている。
【００４９】
図１０は本発明のシート分離装置の実施の形態１の作用説明図で、図１０Ａは給紙トレイから取り出されて重送された２枚の密着したシートの先端がニップ部手前まで進んだ状態を示す図、図１０Ａは給紙トレイから取り出されてニップ部に重送された２枚の密着したシートの先端がシートセンサに検出される位置まで進んだ状態を示す図である。
図１０Ａの状態では分離ロールＲｓ２は逆回転駆動されておらず、給紙ロールＲｓ１に接触して連れ回りしている。
前記図１０Ａの状態から重送密着シートがニップ部Ｎを通過する間、シートの密着性が高いので、前記重送密着シートは分離されずに密着状態でシートセンサＳＮ１により検出される。
【００５０】
図１１は本発明のシート分離装置の実施の形態１の作用説明図で、図１１Ａは前記図１０Ｂの状態から回動プレート１が回動している途中の状態を示す図、図１１Ｂは回動プレートが前記図１０Ａの状態から更に回転して、ニップ部に挟持したシートを下流側の搬送ロールＲａに搬送した後、元の位置に復帰した状態を示す図である。
図１１Ａにおいて、シート（前記密着した重送シートを含む）が前記シートセンサＳＮ１に検出されると、分離ロールＲｓ２が逆回転駆動される。このとき、前記図５で説明した理由により、回動プレート１が時計方向（シート搬送方向）に回動する。このとき、ニップ部Ｎにニップされた２枚のシートの上側のシートと下側のシートを密着面に沿ってずらせる力が作用する。このため、前記２枚のシートの密着面に隙間が生じ、密着力が弱まる。このため、分離ロールＲｓ２は逆回転し、Ｒｓ２側のシートが搬送されると同時に回転プレートがリターンバネ１ｂ（図２参照）により元の位置（通常位置）に戻される。そして、前記密着シートが分離される。この状態では下側のシート（分離ロールＲｓ２に接触するシート）先端がニップ部Ｎの上流側に逆搬送され前記ニップ部を上流側に通過するまで、回動プレート１は回動しない。
【００５１】
前記下側のシート先端がニップ部Ｎの上流側に逆搬送されると、分離ロールＲｓ２の逆回転に対する抵抗力が大きくなるので、回動プレート１は時計方向に回転し、ニップ部Ｎにニップしているシートを、下流側のシート搬送ロールＲａに搬送する。前記シートの後端がニップ部Ｎを通過したことが前記シートセンサＳＮ１により検出されると、分離ロールＲｓ２および給紙ロールＲｓ１の駆動が停止される。このとき、回動プレート１は前記リターンバネ１ｂ（図２Ａ参照）により元の位置（図１１Ｂに示す位置）に復帰する。
すなわち、前記実施の形態１では、回動プレート１およびニップ部Ｎの回動により、密着シートのシート間接触面をずらせる力が生じるので、密着シートを分離することができる。
【００５２】
（実施の形態２）
図１２は本発明の実施の形態２の給紙部材の説明図で、図１２Ａは前記実施の形態２の給紙部材を支持する回動プレート（回動部材）が通常位置に保持されている状態を示す図で、図１２Ｂは前記図１２Ａの状態から回動プレートが回動した状態を示す図である。
なお、この実施の形態２の説明において、前記実施の形態１の構成要素に対応する構成要素には同一の符号を付して、その詳細な説明を省略する。
この実施の形態２は、下記の点で前記実施の形態１と相違しているが、他の点では前記実施の形態１と同様に構成されている。
【００５３】
前記実施の形態１では回動プレート１の回動は分離ロールＲｓ２の駆動機構を利用して行っていたが、この実施の形態２では、回動プレート１を回転させるための回転機構を別に設けている。
すなわち、軸１ａにギヤＧ１１を固着し、前記ギヤＧ１１に噛み合うギヤＧ１２を図示しない回動用モータにより回転させることにより回動プレート１の回動を行っている。
この実施の形態２も前記実施の形態１と同様に、回動プレート１およびニップ部Ｎの回動により、密着シートのシート間接触面をずらせる力が生じるので、密着シートを分離することができる。
【００５４】
（実施の形態３）
図１３は本発明の実施の形態３の給紙部材の説明図である。
なお、この実施の形態３の説明において、前記実施の形態１の構成要素に対応する構成要素には同一の符号を付して、その詳細な説明を省略する。
この実施の形態３は、下記の点で前記実施の形態１と相違しているが、他の点では前記実施の形態１と同様に構成されている。
【００５５】
図１３において、前記実施の形態１では給紙部材Ｒｓを支持する移動部材が回動プレート１により構成されていたが、この実施の形態３ではＸＺ面内で移動可能な移動プレート１１により構成されている。前記移動プレート１１は移動プレート作動装置（移動部材作動装置）１２によりＸ軸方向およびＺ軸方向に移動可能である。
ギヤ固定支持部材１３はギヤＧ１５，Ｇ１６を回転可能に支持しており、前記ギヤＧ１５と前記給紙ロールＲｓ１の軸Ｒｓ１ａに固着されたギヤＧ５とは、ギヤＧ１７に噛み合っている。前記ギヤＧ５の軸およびギヤＧ１７の軸はレバー２１に支持されており、ギヤＧ１５の軸およびギヤＧ１７の軸はレバー２２に支持されている。前記ギヤＧ１６と前記分離ロールＲｓ２の軸Ｒｓ２ａに固着されたギヤＧ８とは、ギヤＧ１８に噛み合っている。前記ギヤＧ８の軸およびギヤＧ１８の軸はレバー２３に支持されており、ギヤＧ１６の軸およびギヤＧ１８の軸はレバー２４に支持されている。
【００５６】
前記図１３に示す実施の形態３では、給紙ロールＲｓ１の回転力はギヤＧ１５，Ｇ１７，Ｇ５を介して軸Ｒｓ１ａに伝達され、分離ロールＲｓ２の回転力（シート搬送方向とは逆の回転力）はギヤ１６，Ｇ１８、Ｇ８を介して軸Ｒｓ２ａに伝達される。
前記給紙ロールＲｓ１および分離ロールＲｓ２を支持する移動プレート１１がＸ軸方向またはＺ軸方向に移動した際には前記レバー２１と２２との連結部の角度およびレバー２２と２４との連結部の角度が変化するが、ギヤＧ１５，Ｇ１７，Ｇ５の噛み合いおよびギヤ１６，Ｇ１８、Ｇ８の噛み合い状態は保たれる。
したがって、この実施の形態３も前記実施の形態１と同様に、移動プレート１１およびニップ部Ｎの移動により、密着シートのシート間接触面をずらせる力が生じるので、密着シートを分離することができる。
【００５７】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更実施の形態を下記に例示する。
【００５８】
（Ｈ０１）  本発明はプリンタ以外の画像形成装置、例えば複写機にも適用することが可能である。
（Ｈ０２）  本発明はレーザ書込装置以外の画像書込装置、例えば液晶パネル、発光ダイオード、または蛍光表示管等を用いた画像形成装置にも適用することが可能である。
【００５９】
【発明の効果】
前述の本発明のシ−ト処理装置は、下記の効果（Ｅ０１），（Ｅ０２）を奏することができる。
（Ｅ０１）シートの重送を確実に防止することができる。
（Ｅ０２）シート間の密着力の高い重送シートを分離できるようにすることができる。
【図面の簡単な説明】
【図１】図１は本発明のシート搬送装置の実施の形態１を備えた画像形成装置の縦断面図である。
【図２】図２は前記実施の形態１の給紙部材、取出ロールおよびその駆動機構の説明図で、図２Ａは平面図、図２Ｂは前記図２Ａの矢印ＩＩＢ−ＩＩＢから見た図である。
【図３】図３は前記実施の形態１の給紙部材の説明図で、図３Ａは前記実施の形態１の給紙部材を支持する回動プレート（回動部材）が通常位置に保持されている状態を示す図で、図３Ｂは前記図３Ａに給紙部材の回動プレートが回転した状態を示す図である。
【図４】図４は前記実施の形態１の給紙部材の説明図で、図４Ａは前記図３Ａの給紙部材に駆動機構を付加した図で、図４Ｂは前記図４Ａの給紙部材を支持する回転プレート（回動部材）が回動した状態を示す図である。
【図５】図５は前記実施の形態１の給紙部材の説明図で、図５Ａは前記実施の形態１の給紙部材を支持する回動プレート（回動部材）が通常位置に保持された状態に分離ロールの駆動機構を付加した状態を示す図、図５Ｂは前記図５Ａの回動プレート（回動部材）が回動した状態を示す図である。
【図６】図６は本発明のシート分離装置の実施の形態１の作用説明図で、図６Ａは給紙トレイから１枚のシートが取り出されてニップ部に搬送されてくる状態を示す図、図６Ｂは前記シートがニップ部に搬送された状態を示す図である。
【図７】図７は本発明のシート分離装置の実施の形態１の作用説明図で、図７Ａは給紙トレイから取り出されてニップ部（Ｎ）に搬送されたシートの先端がシートセンサに検出される位置まで進んだ状態を示す図、図７Ｂは前記シートがニップ部（Ｎ）に搬送された状態で回動プレート１が軸１ａ回りに回動している状態を示す図である。
【図８】図８は本発明のシート分離装置の実施の形態１の作用説明図で、図８Ａは給紙トレイから取り出されてニップ部に重送されたシートの先端がシートセンサに検出される位置まで進んだ状態を示す図、図８Ｂは前記ニップ部に重送されたシートの中の分離ロール側のシートが分離ロールの逆回転により逆送された状態を示す図である。
【図９】図９は本発明のシート分離装置の実施の形態１の作用説明図で、図９Ａは前記図８Ｂの状態から回動プレート１が回動している途中の状態を示す図、図９Ｂは回動プレートが前記図９Ａの状態から更に回転して、ニップに挟持したシートを下流側の搬送ロールＲａに搬送した後、元の位置に復帰した状態を示す図である。
【図１０】図１０は本発明のシート分離装置の実施の形態１の作用説明図で、図１０Ａは給紙トレイから取り出されて重送された２枚の密着したシートの先端がニップ部手前まで進んだ状態を示す図、図１０Ａは給紙トレイから取り出されてニップ部に重送された２枚の密着したシートの先端がシートセンサに検出される位置まで進んだ状態を示す図である。
【図１１】図１１は本発明のシート分離装置の実施の形態１の作用説明図で、図１１Ａは前記図１０Ｂの状態から回動プレート１が回動している途中の状態を示す図、図１１Ｂは回動プレートが前記図１０Ａの状態から更に回転して、ニップ部に挟持したシートを下流側の搬送ロールＲａに搬送した後、元の位置に復帰した状態を示す図である。
【図１２】図１２は本発明の実施の形態２の給紙部材の説明図で、図１２Ａは前記実施の形態２の給紙部材を支持する回動プレート（回動部材）が通常位置に保持されている状態を示す図で、図１２Ｂは前記図１２Ａの状態から回動プレートが回動した状態を示す図である。
【図１３】図１３は本発明の実施の形態３の給紙部材の説明図である。
【符号の説明】
Ｃ１…移動部材作動制御手段、Ｄ２…回動用モータ駆動回路、Ｇ１…給紙用ギヤ、Ｇ５…給紙用伝達ギヤ、Ｇ６…分離用ギヤ、Ｇ７，Ｇ８…分離用伝達ギヤ、Ｍ１…給紙用駆動モータ、Ｍ２…回動用モータ、Ｎ…ニップ部、Ｒｐ…取出ロール、Ｒｓ…給紙部材、Ｒｓ１…給紙ロール、Ｒｓ１ａ…給紙ロール軸、Ｒｓ２…分離ロール、Ｒｓ２ａ…分離ロール軸、Ｓ…シート、ＳＮ１…ニップ部搬送シート検出手段、ＴＲ１，ＴＲ２…給紙トレイ、１…移動部材（回動部材）、１ａ…回動軸、１１…移動部材、１２…移動部材作動装置、（Ｍ２＋Ｄ２＋Ｇ６〜Ｇ７）…移動部材作動装置（回動部材作動装置）。
【図１】
2004284791.tif 000003
【図２】
2004284791.tif 000004
【図３】
2004284791.tif 000005
【図４】
2004284791.tif 000006
【図５】
2004284791.tif 000007
【図６】
2004284791.tif 000008
【図７】
2004284791.tif 000009
【図８】
2004284791.tif 000010
【図９】
2004284791.tif 000011
【図１０】
2004284791.tif 000012
【図１１】
2004284791.tif 000013
【図１２】
2004284791.tif 000014
【図１３】
2004284791.tif 000015